(57)【要約】【課題】切れ味が悪くなったら取り外し、研ぎ器の研摩部に替刃の刃部を下方にして挿入し、２〜３回前後方向にスライドさせるだけで刃部の両側方が確実に研ぎ上げられ、新品同様の切れ味を復活させる替刃式草刈小鎌を提供する。【解決手段】握り柄の上方部に着脱自在な草刈小鎌を構成する刃体を、均一な肉厚の鋼板材から前記小鎌の刃体形状の刃体基材を形成し、前記刃体基材に水平状の刃部を設ける。と共に前記刃体基材を構成する刃先と反対側の刃体基材に前記握り柄の上方部に取着したシャンクに着脱が可能な機構を形成する。前記刃先と前記刃体基材の基部との間の部位を均一な肉厚状態のまま所定の径をもって湾曲形状に形成せしめた刃体とする。【選択図】    図１
2004313099.tif 000002
【特許請求の範囲】
【請求項１】
握り柄の上方部に着脱自在な草刈小鎌を構成する刃体を、均一な肉厚の鋼板材から前記小鎌の刃体形状の刃体基材を形成し、前記刃体基材に水平状の刃部を設けると共に、前記刃体基材を構成する刃先と反対側の刃体基材に前記握り柄の上方部に取着したシャンクに着脱が可能な機構を形成すると共に、前記刃先と前記刃体基材の基部との間の部位を均一な肉厚状態のまま所定の径をもって湾曲形状に形成せしめた刃体とすることを特徴とする替刃式草刈小鎌。
【請求項２】
前記刃体を構成する刃先と前記刃体基材の基部との間の部位を湾曲形状にする径を、前記刃体基材の下方に形成した水平状刃部を湾曲形状にする径より若干大き目にすることを特徴とする請求項１記載の替刃式草刈小鎌。
【請求項３】
前記刃体基材の基部の下方部にして、且前記刃体の刃部を構成する刃先と反対側の端部を切欠して切欠部を形成し、前記切欠部を構成する前記刃部の端部に、垂直状側縁部と、前記切欠部の上方部に上方縁部を夫々形成し、且前記上方縁部の所定部位に上方向に延設する嵌挿部を形成し、前記嵌挿部の上方に小孔を形成することを特徴とする請求項１又は請求項２記載の替刃式草刈小鎌。
【請求項４】
握り柄と、下方部は前記握り柄に取着する取付け部とし、前記取付け部の上端部を延設して嵌挿用小孔を形成し、且前記小孔の周縁部を上方に若干膨出する膨出部を形成し、前記小孔の下方部に裏面部方向に突設する突起部を有するシャンクを形成し、前記シャンクと着脱自在にして、均一な肉厚の鋼板材から前記小鎌の刃体形状の刃体基材を形成し、前記刃体基材に水平状の刃部を設け、前記刃体基材を構成する刃先と反対側の刃体基材に前記握り柄の上方部に取着したシャンクに着脱が可能な機構を形成すると共に、前記刃先と前記刃体基材の基部との間の部位を均一な肉厚状態のまま所定の径をもって湾曲形状に形成せしめた刃体と、内側に別設のボルトを貫通する貫通小孔を形成し、且前記貫通小孔の周縁部を外側方に若干膨出する膨出部を形成し、前記貫通小孔の下方に、前記シャンクに形成の突起部を嵌挿する嵌挿部を内側面部に形成した支持部を形成し、前記支持部の貫通小孔に前記ボルトを貫通させセット状態となし、
前記握り柄の上方部に、前記シャンクの下方部を取着し、突出する前記シャンクの上方部の裏面部に前記刃体の裏面より前記支持部のボルトを前記刃体の小孔に挿入し、前記切欠部の嵌挿部に前記突起部を挿入し、前記突起部を前記支持部の嵌挿部に嵌挿し、前記ボルトにナットを螺着し組立てることを特徴とする替刃式草刈小鎌。
【発明の詳細な説明】
【０００１】
【発明の属する技術分野】
本発明は、替刃式草刈小鎌を構成する刃体が、材質及び硬度の面において優れ、一枚の刃体が、本件出願人が開発した研ぎ器を使用し何回でも研ぐだけで、６〜７年もの長期に亘り使用ができるようにしたこと、第２に前記研ぎ器の研磨部に刃体の刃部を挿入し２〜３回こするだけで切れ味が良好な刃付けができ、従来の砥石を使用して研ぐときのような熟練さを全く不要にしたこと、第３に従来の小鎌とは全く異なって、使い捨てたり、あるいは錆付かせたりすることを解消せしめた握り柄付き替刃式草刈小鎌の技術分野に関するものである。
【０００２】
【従来の技術】
従来の替刃式草刈小鎌として公知の実開昭５０−３４３２６号公報の考案は、柄１に一端部を固着したアーム２と刃３の嶺部とをネジ４、５で固定した構造である。
【０００３】
しかし前記公報の替刃は、刃３が直線状ではなくて三ヶ月形状のため電動式グラインダーでないと研摩しにくい構造である。
【０００４】
そのため、研ぎ器の研摩部に前記替刃を挿入し、前後方向に交互にスライドさせるだけで刃部が新品同様の切れ味を有する替刃に再生することができない構造をしている。
【０００５】
さらに前記公知の小鎌は、刃３の嶺部にアーム２をネジ４、５で固定した構造をしているので、刃３の肉厚とアーム２の肉厚との著しい差異によって、草等の刈込み時に、肉厚が薄い刃３から肉厚が厚いアーム２へと変化し、その都度抵抗があり、作業者にとって疲労が大きかった。
【０００６】
さらに従来公知の第２の鎌として、実公昭１８−７３５５号公報のものがあり、この公報に記載の考案は、把柄７に嵌挿した取付片４の両袖５、５に、刃板２の嶺部を嵌挿させた骨枠１の基部３と刃板２の基部とを螺鋲６を介して締着せしめた構造である。
【０００７】
前記公知の第２の鎌は、刃板２と骨枠１とを一体にしたまま、研ぎ器の研摩部に挿入し刃板２を両サイドから押え込んでスライドさせながら研摩すると、骨枠１が邪魔をしてスムーズに研摩がしにくい構造をしている。
【０００８】
さらに前記公知の鎌は、刃板２の嶺部を挿入している骨枠１が、刃板２の肉厚より厚くなっているので、草刈り作業時に、前記骨枠１が切り株に引掛り、作業者に抵抗感を与えそれらの蓄積で疲労感を発生させる弊害があった。
【０００９】
また前記公知の第２の鎌は、刃板２の刃部の形状が水平状でないことと、刃板２を上面よりみると湾曲径が不均一となっているので、刃板２の刃部を研ぎ器の研摩部に挿入せしめ、刃板２の両サイドを押えながら前後方向にスライドさせてもスムーズにスライドがしにくく、従って刃部の切れ味を新製品と同様に修復することができにくかった。
【００１０】
また、従来開示されている第３の草刈り鎌として、特開２００２−１２５４２６号公開公報の発明がある。
【００１１】
前記第３の草刈り鎌は、切れ味が悪くなったら、直ちに新品の替刃体と交換されるものであって、研ぎ器による研摩を前提にしたものではない。
【００１２】
さらに前記第３の鎌の刃体は、上方よりみて湾曲状に形成したものではなく、作業性は良好でない点が指摘される。
【００１３】
さらに従来大量にしかも安価な価格で生産されてきた内側下方に刃部を設けた草刈り鎌は、刃体が形成されるまでの工程として、刃部と嶺部との間の内側面だけをハンマーで叩きながら、外側方に打ち出し、膨出させていた。そのため、刃体の肉厚は不均一となっていたので、研ぎ器に刃部を挿入し前後方にスライドさせ刃体の刃部の両サイドをスムーズに研ぎ上げることができなかった。従って砥石で刃部の一側面を研いだ後、刃部の他側面を研ぐといった研ぐために２工程を必要とし、煩雑であった。
【００１４】
【発明が解決しようとする課題】
本願発明の替刃式草刈小鎌を開発するに至った経緯は、下記のとおりである。
【００１５】
最近畑の草刈り作業をしている農家のお年寄りが、柄付き草刈小鎌の刃の部分を、角柱形状をした砥石（市販）を右手に持って水をつけながら研いでいる姿を見て、小鎌の刃研ぎから解放できないものかと考え、本発明の替刃式草刈小鎌を開発したものである。
【００１６】
さらに前記したように前記小鎌の刃の切れ味が悪くなった、いわゆるまくれた状態となった刃を研いで切れ味を良好にさせる研ぎ作業には、相当の経験と熟練が要求されていた。
【００１７】
ましてや、都会の奥様方が、草刈小鎌の刃を、従来の砥石を使用して、切れ味の良い刃に研ぎ上げるには、至難の技であった。そのため、安価な草刈小鎌を購入しては、新品の小鎌に代え、従来使用していた小鎌を捨ててしまっていた。
【００１８】
さらに本願発明者は、本件発明の替刃式草刈小鎌を開発し、刃体を研ぐための研ぎ器については、他社製品（包丁用）を使用する予定であった。
【００１９】
しかし本願発明の草刈小鎌を構成する刃体の刃部を、２〜３回のこすり作業だけでスムーズに研ぐことができるものはなかった。
【００２０】
そのため急遽本件小鎌の開発と同時に、研ぎ器の開発をも進行せざるを得なかったが、試作等に時間がかかりすぎているため、本件出願の方を先行するに至ったものである。
【００２１】
つぎに本発明が解決しようとする課題について具体的に説明すると以下のとおりである。
【００２２】
本発明の替刃式草刈小鎌を構成する替刃は、切れ味が悪くなったら取り外して、研ぎ器の研摩部に替刃の刃部を下方にして挿入し、２〜３回前後方向にスライドさせるだけで、刃部の両側方が確実に研ぎ上げることができ、新品同様に何回でも切れ味を復活させ使用できるようにした。
【００２３】
さらに本発明の替刃は、刃部が水平状にして、しかも替刃の刃体と刃部が上面よりみると若干の径（Ｒ）をつけて湾曲状に形成して、草刈り作業がやりやすい形状にしたものである。
【００２４】
また本発明の替刃は、肉厚が均一な鋼板材をもって形成すると共に、柄に取着したシャンクの上方部と接続するときは、右側方の基部のみとし、替刃の嶺部と刃部との間の部位全体が、均一の肉厚となっているので、草刈り作業時に切り株に引掛るのを全くなくした。そのため草刈り作業による疲労感が全くない。
【００２５】
さらに本発明の小鎌は、替刃の取着手段が前記した従来公知の鎌と全く異なり、替刃の嶺部に取着用の別部材を使用しない。従って前記したとおり作業者に疲労感がたまることが全くない。
【００２６】
また本発明の小鎌は、替刃をシャンクと支持部との間に一旦締着がなされると、がたつきがくることはない。
【００２７】
【課題を解決するための手段】
【００２８】
請求項１記載の発明は、握り柄の上方部に着脱自在な草刈小鎌を構成する刃体を、均一な肉厚の鋼板材から前記小鎌の刃体形状の刃体基材を形成し、前記刃体基材に水平状の刃部を設けると共に、前記刃体基材を構成する刃先と反対側の刃体基材に前記握り柄の上方部に取着したシャンクに着脱が可能な機構を形成すると共に、前記刃先と前記刃体基材の基部との間の部位を均一な肉厚状態のまま所定の径をもって湾曲形状に形成せしめた刃体とすることを特徴とする替刃式草刈小鎌である。
【００２９】
請求項２記載の発明は、前記刃体を構成する刃先と前記刃体基材の基部との間の部位を湾曲形状にする径を、前記刃体基材の下方に形成した水平状刃部を湾曲形状にする径より若干大き目にすることを特徴とする請求項１記載の替刃式草刈小鎌である。
【００３０】
請求項３記載の発明は、前記刃体基材の基部の下方部にして、且前記刃体の刃部を構成する刃先と反対側の端部を切欠して切欠部を形成し、前記切欠部を構成する前記刃部の端部に、垂直状側縁部と、前記切欠部の上方部に上方縁部を夫々形成し、且前記上方縁部の所定部位に上方向に延設する嵌挿部を形成し、前記嵌挿部の上方に小孔を形成することを特徴とする請求項１又は請求項２記載の替刃式草刈小鎌である。
【００３１】
請求項４記載の発明は、握り柄と、下方部は前記握り柄に取着する取付け部とし、前記取付け部の上端部を延設して嵌挿用小孔を形成し、且前記小孔の周縁部を上方に若干膨出する膨出部を形成し、前記小孔の下方部に裏面部方向に突設する突起部を有するシャンクを形成し、前記シャンクと着脱自在にして、均一な肉厚の鋼板材から前記小鎌の刃体形状の刃体基材を形成し、前記刃体基材に水平状の刃部を設け、前記刃体基材を構成する刃先と反対側の刃体基材に前記握り柄の上方部に取着したシャンクに着脱が可能な機構を形成すると共に、前記刃先と前記刃体基材の基部との間の部位を均一な肉厚状態のまま所定の径をもって湾曲形状に形成せしめた刃体と、内側に別設のボルトを貫通する貫通小孔を形成し、且前記貫通小孔の周縁部を外側方に若干膨出する膨出部を外側方に若干膨出する膨出部を形成し、前記貫通小孔の下方に、前記シャンクに形成の突起部を嵌挿する嵌挿部を内側面部に形成した支持部を形成し、前記支持部の貫通小孔に前記ボルトを貫通させセット状態となし、前記握り柄の上方部に、前記シャンクの下方部を取着し、突出する前記シャンクの上方部の裏面部に前記刃体の裏面より前記支持部のボルトを前記刃体の小孔に挿入し、前記切欠部の嵌挿部に前記突起部を挿入し、前記突起部を前記支持部の嵌挿部に嵌挿し、前記ボルトにナットを螺着し組立てることを特徴とする替刃式草刈小鎌である。
【００３２】
【発明の実施の形態】
請求項１〜４記載の発明に関する実施の形態は共通しているので、以下のとおり一括して説明する。
【００３３】
図面において、ａは握り柄であり、この握り柄ａの上方部にシャンクｃの一部を挿込み取着する。ｂは三日月形の刃体であり、嶺部１ｂの下方部には水平状の刃部１ａがある。前記刃体ｂは、均一な肉厚の鋼板材（安来ハガネ）を打抜いて刃体形状の刃体基材１を形成する。刃部１ａは、クロームをつけているので、防錆効果がある。
【００３４】
２は刃体基材１の基部４の下方部にして、且前記刃体ｂの刃部１ａを構成する刃先３と反対側の端部を切欠して形成の切欠部である。この切欠部２は通常図面図示のような形状に切欠して行う。５は前記切欠部２を構成し、且刃部１ａにおける後方の基部４を上方に延設する垂直状側縁部である。
【００３５】
６は前記切欠部２の上方部に形成した上方縁部である。従って前記切欠部２は、前記側縁部５と上方縁部６に沿って切欠されている。
【００３６】
７は前記上方縁部６の所定部位、例えば稍中央部より前記刃体ｂの内側部の上方に延設する嵌挿部である。この嵌挿部７は下方が開口状で、上方が湾曲状となっている。
【００３７】
８は前記嵌挿部７の上方の刃体ｂの端部に形成した以下において説明する緊締具のボルト１０が嵌挿する小孔である。
【００３８】
さらに前記刃体ｂは、刃先３から刃先３と反対側の基部４との間の部位を所定の径（Ｒ）をもって湾曲せしめると共に、前記刃部１ａを湾曲せしめる径（Ｒ）より若干大き目にする。前記の湾曲は内側部に若干湾曲させる。
【００３９】
以上が本発明の草刈小鎌の刃体ｂの構成である。
【００４０】
つぎに板状シャンクｃの構成を説明する。通常はステンレス製である。
【００４１】
このシャンクｃの下方部は、図面図示のとおり握り柄ａに嵌挿し、固定具ｅを介して取着される。
【００４２】
そして前記シャンクｃは、図２のように側面よりみると若干傾斜状に湾曲する稍中央部部の下方底部より、徐々に立上がる傾斜状にて形成し、前記中央部分の後方端部は垂直状に延設されている。前記シャンクｃは通常ステンレス製のため錆ない。
【００４３】
前記シャンクｃの下方部は、前記握り柄ａの上方部に嵌挿し、固定部ｅを介して抜けないように固着されている。
【００４４】
さらにシャンクｃの上方部には、ステンレス製ボルト１０の嵌挿用小孔９を形成する。その際小孔９の周縁部を上方に若干膨出せしめ膨出部１１を形成する。
【００４５】
そして前記小孔９の下方部には、前記刃体ｂの前記嵌挿部７に挿入する突起部１２を形成する。上記の構成の小孔９と突起部１２とは、重合する前記刃体ｂの小孔８と嵌挿部７と夫々合致し、両小孔８、９には前記ボルト１０が貫通し、前記嵌挿部７には、前記突起部１２が嵌挿する。
【００４６】
前記シャンクｃは側面よりみたとき、垂直状の下方部に対し、上方部が稍中央部位の底部１３より所定の角度で上方へ傾斜している。その理由はシャンクｃの上方部に固定された刃体ｂの草刈り作業がスムーズにできるようにするためのものである。
【００４７】
前記シャンクｃの突起部１２と刃体ｂの嵌挿部７との形状は限定しないが、少なく共ボルト１０を小孔８、９に貫通させると共に、前記嵌挿部７と突起部１２とを嵌合せしめた２点によって刃体ｂの固定時の強度を確保するものである。
【００４８】
ｄでは支持部であり、以下の構成からなっている。この支持部ｄは、前記シャンクｃの裏面に位置する刃体ｂを、さらに刃体ｂの裏面に当て、刃体ｂのがたつきを防止するものである。
【００４９】
前記支持部ｄの内側にボルト１０を貫通する小孔１４を形成する。この小孔１４はその周縁部を下方に若干膨出する膨出部１５を形成する。１６はボルト１０の頭、１７はネジ部である。
【００５０】
前記ボルト１０は前記小孔１４に図面図示のように予め離脱しないように嵌着する。
【００５１】
さらに前記支持部ｄは、前記小孔１４の下方に、前記刃体ｂの嵌挿部７に嵌挿したシャンクｃの突起部１２を受入れる嵌挿部１８を形成する。
【００５２】
１９は前記ボルト１０に螺着するステンレス製ナットである。
【００５３】
上記の各構成部材を草刈り小鎌として組立てるには、次下のようにする。
本発明は、シャンクｃと支持部ｄとの間に、刃体ｂを介在し、前記したように各小孔８、９を合致させて、前記支持部ｄに固定したステンレス製ボルト１０を挿入し、同時に突起部１２が前記嵌挿部７に嵌挿し、さらに支持部ｄの嵌挿部１８に嵌挿したら、ステンレス製ナット１９をボルト１０に螺着する。
【００５４】
前記ナット１６による螺着時には、前記シャンクｃの小孔９の周縁部の膨出部分と、支持部ｄの小孔１４の周縁に設けた膨出部１５によって、きわめて容易に緊締できる。従ってナット１９の螺着もしくは螺戻が容易なので、主婦でも刃体ｂを簡単に着脱できる。
【００５５】
前記のようにナット１９の螺戻は、刃体ｂを容易に取外し、研ぎ器の研摩部内に刃部１を挿入し、刃体ｂを前後方向に４〜５回スライドさせるだけで刃部１ａの両側方が新品同様に研ぎ上がる。
【００５６】
【発明の効果】
請求項１記載の発明は、握り柄の上方部に着脱自在な草刈小鎌を構成する刃体を、均一な肉厚の鋼板材から前記小鎌の刃体形状の刃体基材を形成し、前記刃体基材に水平状の刃部を設け、前記刃体基材を構成する刃先と反対側の刃体基材に前期握り柄の上方部に取着したシャンクに着脱が可能な機構を形成すると共に、前記刃先と前記刃体基材の基部との間の部位を均一な肉厚状態のまま所定の径をもって湾曲形状に形成せしめた刃体とする替刃式草刈小鎌なので、切れ味が悪くなったときは直ちにシャンクより刃体を取外し、前記刃体の刃部を研ぎ器の研摩部に挿入し、前記刃体の左右両サイドをぐらつかないように若干押圧し、押圧したら刃体を前後方向にスライドさせるだけで、刃部の両面が新品同様に切れ味の良い刃部とすることができる。
【００５７】
さらに本発明の刃体は、均一な肉厚のために、前記の如き研摩作業時において、刃体を両サイドから若干押圧させても、スライドを阻害させたりしない利点を有している。
【００５８】
また本発明の刃体は、前記したとおり、均一な肉厚をしていると共に、刃体の嶺部に取付け部材を設けないので、刈り取った草株に引掛ったりしない。そのため作業者らに疲労感を支えたりしない利点がある。
【００５９】
請求項２記載の発明は、前記刃体を構成する刃先と前記刃体基材の基部との間の部位を湾曲形状にする径を、前記刃体基材の下方に形成した水平状刃部を湾曲形状にする径より若干大き目にした請求項１記載の替刃式草刈小鎌なので、請求項１記載の発明と同じ効果を有している。
【００６０】
さらに本発明は、刃体と刃部とを若干の径をもって内側方に湾曲せしめたので、草刈り作業をスムーズに行うことができる。
【００６１】
請求項３記載の発明は、前記刃体基材の基部の下方部にして、且前記刃体の刃部を構成する刃先と反対側の端部を切欠して切欠部を形成し、前記切欠部を構成する前記刃部の端部に、垂直状側縁部と、前記切欠部の上方部に上方縁部を夫々形成し、且前記上方縁部の所定部位に上方向に延設する嵌挿部を形成し、前記嵌挿部の上方に小孔を形成した請求項１又は請求項２記載の替刃式草刈小鎌なので、請求項１及び同２記載の発明と同じ効果を有している。
【００６２】
さらに本発明は、刃体の後方下方部に切欠部を設けたので、不要な刃部の刃付け長さを節減せしめ材料費を安価にした。
【００６３】
また本発明は、上方縁部に嵌挿部を形成して、シャンクの突起部を嵌挿せしめ、刃体のがたつきを防止した。
【００６４】
請求項４記載の発明は、握り柄と、下方部は前記握り柄に取着する取付け部とし、前記取付け部の上端部を延設して嵌挿用小孔を形成し、且前記小孔の周縁部を上方に若干膨出する膨出部を形成し、前記小孔の下方部に裏面部方向に突設する突起部を有するシャンクを形成し、前記シャンクと着脱自在にして、均一な肉厚の鋼板材から前記小鎌の刃体形状の刃体基材を形成し、前記刃体基材に水平状の刃部を設け、前記刃体基材を構成する刃先と反対側の刃体基材に前記握り柄の上方部に取着したシャンクに着脱が可能な機構を形成すると共に、前記刃先と前記刃体基材の基部との間の部位を均一な肉厚状態のまま所定の径をもって湾曲形状に形成せしめた刃体と、内側に別設のボルトを貫通する貫通小孔を形成し、且前記貫通小孔の周縁部を外側方に若干膨出する膨出部を形成し、前記貫通小孔の下方に、前記シャンクに形成の突起部を嵌挿する嵌挿部を内側面部に形成した支持部を形成し、前記支持部の貫通小孔に前記ボルトを貫通させセット状態となし、前記握り柄の上方部に、前記シャンクの下方部を取着し、突出する前記シャンクの上方部の裏面部に前記刃体の裏面より前記支持部のボルトを前記刃体の小孔に挿入し、前記切欠部の嵌挿部に前記突起部を挿入し、前記突起部を挿入し、前記突起部を前記支持部の嵌挿部に乾燥し、前記ボルトにナットを螺着し組立てる替刃式草刈小鎌なので、請求項１、同２及び同３記載の発明と同じ効果を有している。
【００６５】
さらに本発明は、シャンクの突起部を刃体の嵌挿部に確実に挿入せしめ、さらに支持部の嵌挿部にまで挿入せしめることによって、刃体を確実に緊締せしめることができた。
【００６６】
さらに本発明は、シャンクと支持部の各小孔の周縁部を若干膨出させたので、ボルトに対するナットの緊締時の回転力が小でも確実に刃体を挟着でき、挾着後は刃体ががたついたりしない利点を有している。
【図面の簡単な説明】
【図１】本発明替刃式草刈小鎌の正面図である。
【図２】替刃を嵌着したシャンクと支持部の縦断面図である。
【図３】替刃の刃体の正面図である。
【図４】図３におけるＡ〜Ａ線縦断平面図である。
【図５】図３における刃部の平面図である。
【図６】図３におけるＢ〜Ｂ線縦断側面図である。
【図７】Ａ、Ｂはシャンクの正面図と縦断面図である。
【図８】Ａ、Ｂは支持部の正面図と縦断面図である。
【符号の説明】
ａ    握り柄
ｂ    刃体
ｃ    シャンク
ｄ    支持部
ｅ    固定具
１    刃体基材
１ａ  刃部
１ｂ  嶺部
２    切欠部
３    刃先
４    碁部
５    側縁部
６    上方縁部
７    嵌挿部
８    小孔
９    小孔
１０  ボルト
１１  膨出部
１２  突起部
１３  底部
１４  小孔
１５  膨出部
１６  頭部
１７  ネジ部
１８  嵌挿部
１９  ナット
【図１】
2004313099.tif 000003
【図２】
2004313099.tif 000004
【図３】
2004313099.tif 000005
【図４】
2004313099.tif 000006
【図５】
2004313099.tif 000007
【図６】
2004313099.tif 000008
【図７】
2004313099.tif 000009
【図８】
2004313099.tif 000010